(57)【要約】【課題】信頼性に優れ、容易かつ確実に衣類を含む布製品への取り付けが可能な非接触データキャリア装置及び非接触データキャリアの取り付け方法を提供する。【解決手段】非接触データキャリア装置１は、板状の非接触データキャリア２と、この非接触データキャリア２を収納する布製の袋状体３とを備えている。また、袋状体３は、その開口部７近傍に、衣類を含む布製品に固定するための取り付け部８を備える。【選択図】図１
2008015682.tif 000002
【特許請求の範囲】
【請求項１】
板状の非接触データキャリアと、
前記非接触データキャリアを収納する布製の袋状体とを具備し、
前記袋状体は、その開口部近傍に、衣類を含む布製品に固定するための取り付け部を備えることを特徴とする非接触データキャリア装置。
【請求項２】
前記袋状体の取り付け部は、縫合によって前記布製品に固定されることを特徴とする請求項１に記載の非接触データキャリア装置。
【請求項３】
前記袋状体の取り付け部は、ホチキス留めによって前記布製品に固定されることを特徴とする請求項１に記載の非接触データキャリア装置。
【請求項４】
前記袋状体が、外袋と内袋からなる二重構造であることを特徴とする請求項１乃至３のいずれか１項に記載の非接触データキャリア装置。
【請求項５】
前記袋状体は、少なくとも開口部近傍に面ファスナーを備えることを特徴とする請求項１乃至４のいずれか１項に記載の非接触データキャリア装置。
【請求項６】
前記袋状体の素材が、織布、不織布又はフエルトであることを特徴とする請求項１乃至５のいずれか１項に記載の非接触データキャリア装置。
【請求項７】
前記袋状体の厚さが、０．１ｍｍ〜６ｍｍの範囲であることを特徴とする請求項１乃至６のいずれか１項に記載の非接触データキャリア装置。
【請求項８】
前記非接触データキャリアは、アンテナパターンを有する基板と、このアンテナパターンに電気的に接続されたＩＣチップと、少なくともＩＣチップを覆うように形成された保護外装とを備えることを特徴とする請求項１乃至７のいずれか１項に記載の非接触データキャリア装置。
【請求項９】
前記アンテナパターンの表面と直交する方向からみた非接触データキャリアの外形サイズは、２５ｍｍ×２５ｍｍ以下のサイズであることを特徴とする請求項８に記載の非接触データキャリア装置。
【請求項１０】
板状の非接触データキャリアを布製の袋状体に収納し、前記袋状体の開口部近傍を縫合によって衣類を含む布製品に固定することを特徴とする非接触データキャリアの取り付け方法。
【請求項１１】
前記袋状体に収納された非接触データキャリアを前記布製品の洗濯表示札に固定することを特徴とする請求項１０に記載の非接触データキャリアの取り付け方法。
【発明の詳細な説明】
【技術分野】
【０００１】
本発明は、情報の交信を非接触で行う非接触データキャリア装置に係り、特に衣類、シーツ等の布製品に取り付けられ、クリーニング用として使用される非接触データキャリア装置及び非接触データキャリアの取り付け方法に関する。
【背景技術】
【０００２】
近年、物品のタグ情報のキャリアとしてＩＣチップを使用した非接触データキャリア（例えばＩＣタグ、無線タグ、ＲＦＩＤ等とも言う。）が、物品の管理などに使用されている。非接触データキャリアの主たる構成要素は、データを保持するＩＣチップと、このＩＣチップに接続されたアンテナである。
【０００３】
例えば、非接触データキャリアを顧客から預かったクリーニング用の衣類、シーツ等の布製品に取り付けて、顧客名、クリーニング回数等を非接触データキャリアに記録し情報管理することが行われている。
【０００４】
このようなクリーニング用の衣類等に取り付けられる非接触データキャリアとしては、例えば、非接触データキャリアを耐熱性樹脂でボタン形状に一体成形し、縫い付け用の穴を設けたもの（例えば特許文献１参照）や、非接触データキャリアをホットメルト樹脂で一体としたもの（例えば特許文献２参照）等が提案されている。
【０００５】
しかしながら、特許文献１に記載されているようなボタン形状のものでは、取り付け時に時間を要するばかりか、衣類表面に設けられるため、運搬時やクリーニング作業時に非接触データキャリアが外部から衝撃や応力を受けやすく、アンテナパターンの断線やＩＣチップとアンテナパターンとの接続部分の剥離などが生じて、少数回のクリーニングで使用できなくなる場合があった。
【０００６】
また、特許文献２に記載されているようなホットメルト樹脂で非接触データキャリアを覆った構造では、使用するホットメルト樹脂の材料によって取り付け可能な衣類の材質が制限される場合があった。また、衣類等への取り付けを熱処理で行うため、取り付け時に非接触データキャリアが熱からのダメージを受けやすく、さらには繰り返しクリーニング作業を行うと衣類等から脱落しやすい。
【特許文献１】特開平９−６８５１号公報
【特許文献２】特開２００４−１９９３７９号公報
【発明の開示】
【発明が解決しようとする課題】
【０００７】
本発明の目的は、このような課題に対処するためになされたもので、信頼性に優れ、容易かつ確実に衣類を含む布製品への取り付けが可能な非接触データキャリア装置及び非接触データキャリアの取り付け方法を提供することにある。
【課題を解決するための手段】
【０００８】
本発明の一態様に係る非接触データキャリア装置は、板状の非接触データキャリアと、前記非接触データキャリアを収納する布製の袋状体とを具備し、前記袋状体は、その開口部近傍に、衣類を含む布製品に固定するための取り付け部を備えることを特徴とする。
すなわち、袋状体の内部に板状の非接触データキャリアを収納し、袋状体の開口部近傍を取り付け部とする。ここで言う、板状とは、袋状体に収納可能な薄く平らな形状を意味する。これにより、例えば縫合、ホチキス留め等で衣類などへの取り付けと袋状体の開口部の綴じが同時に行われ、取り付けを容易に行うことができ、さらには複数回クリーニング作業を行っても脱落の恐れがなく確実に衣類などへ固定できる。また、非接触データキャリアを袋状体に収納して取り付けることで、外部からの衝撃、応力等から非接触データキャリアを保護することができ、信頼性に優れた非接触データキャリア装置を提供することができる。さらに、非接触データキャリアを収納する袋状体が布製であることから、クリーニングに伴う乾燥工程でクリーニング液が残留することが無く、乾燥性に優れる。
【０００９】
また、本発明に係る非接触データキャリア装置は、前記袋状体の取り付け部は、縫合によって前記布製品に固定されることを特徴とする。
これによれば、非接触データキャリア装置を衣類等の布製品に確実に取り付けることができる。
【００１０】
また、本発明に係る非接触データキャリア装置は、前記袋状体の取り付け部は、ホチキス留めによって前記布製品に固定されることを特徴とする。
これによれば、非接触データキャリア装置を衣類等の布製品に確実に取り付けることができる。
【００１１】
また、本発明に係る非接触データキャリア装置は、前記袋状体が、外袋と内袋からなる二重構造であることを特徴とする。
これによれば、例えば運搬中やクリーニング作業中などに、外部からの衝撃、応力、熱、薬品等からより確実に非接触データキャリアを保護することができる。
【００１２】
また、本発明に係る非接触データキャリア装置は、前記袋状体は、少なくとも開口部近傍に面ファスナーを備えることを特徴とする。
これによれば、袋状体に非接触データキャリアを収納してから、取り付け対象物に取り付けるまでの間に、袋状体の開口部から非接触データキャリアが脱落することを防止することができる。
【００１３】
また、本発明に係る非接触データキャリア装置は、前記袋状体の素材が、織布、不織布又はフエルトであることを特徴とする。
これによれば、クリーニング時に要求される耐熱性、耐薬品性、速乾性、弾力性を備えた素材を用いることで、クリーニング作業を複数回行っても、非接触データキャリアへのダメージを低減することができ、非接触データキャリア装置の長期間の使用を可能にする。
【００１４】
また、本発明に係る非接触データキャリア装置は、前記袋状体の厚さが、０．１ｍｍ〜６ｍｍの範囲であることを特徴とする。
これによれば、袋状体に収納される非接触データキャリアへの外部からの衝撃などを緩和することができ、該装置を取り付けた衣類を使用者が違和感なく着用することができる。
【００１５】
また、本発明に係る非接触データキャリア装置は、前記非接触データキャリアが、アンテナパターンを有する基板とこのアンテナパターンに電気的に接続されたＩＣチップと、少なくともＩＣチップを覆うように形成された保護外装とを備えることを特徴とする。
これによれば、少なくともＩＣチップを覆うように基板全面に保護外装を設けることで、外部環境から非接触データキャリアを保護することができ、特にクリーニング中における耐水性、耐薬品性を向上させることができる。保護外装には、例えば熱硬化性樹脂などのモールド樹脂、クリーニング作業に耐え得るプラスチック、セラミック等を適用することができる。
【００１６】
また、本発明に係る非接触データキャリア装置は、前記アンテナパターンの表面と直交する方向からみた非接触データキャリアの外形サイズは、２５ｍｍ×２５ｍｍ以下のサイズであることを特徴とする。
これによれば、非接触データキャリア装置の小型化を図ることができ、衣類等に取り付けた場合に、使用者が違和感なくこれを着用することができる。
【００１７】
また、本発明に係る非接触データキャリアの取り付け方法は、板状の非接触データキャリアを布製の袋状体に収納し、前記袋状体の開口部近傍を縫合によって衣類を含む布製品に固定することを特徴とする。
これによれば、衣類などへの取り付けと袋状体の開口部の綴じを縫合によって同時に行うことで、容易かつ確実に非接触データキャリアを衣類等に固定することができる。また、非接触データキャリアを布製の袋状体に収納して取り付けることで、クリーニング時や運搬時における衝撃、応力等から非接触データキャリアを保護することができ、特にクリーニング時における乾燥工程で薬液が残留することなく、優れた乾燥性を発揮することができる。
【００１８】
また、本発明に係る非接触データキャリアの取り付け方法は、前記袋状体に収納された非接触データキャリアを前記布製品の洗濯表示札に固定することを特徴とする。
これによれば、布製品の洗濯表示札（品質表示札）を取り付け位置とすることで、クリーニング中でも外部から衝撃や応力を受け難く、さらには衣類等の外観を損なわない。また、リーダライタ装置で非接触データキャリアに格納された情報を読み取る際に取り付け位置を容易に確認できる。
【発明の効果】
【００１９】
本発明によれば、信頼性に優れ、容易かつ確実に衣類を含む布製品へ取り付け可能な非接触データキャリア装置及び非接触データキャリアの取り付け方法を提供することができる。
【発明を実施するための最良の形態】
【００２０】
以下、本発明の実施形態を図面を参照しながら説明する。図１は、本発明の第１の実施形態に係る非接触データキャリア装置を模式的に示す斜視図である。図２は、図１に示す非接触データキャリアを模式的に示す断面図である。
【００２１】
図１に示すように、非接触データキャリア装置１は、板状の非接触データキャリア２と、この非接触データキャリア２を収納する布製の袋状体３とを備えている。
【００２２】
図２に示すように、非接触データキャリア２は、アンテナパターン（不図示）を有する基板４と、このアンテナパターンに電気的に接続されたＩＣチップ５と、モールド樹脂６とを備えている。例えば銅箔をパターン形成したアンテナパターンが、基板４に渦巻き状に設けられ、このアンテナパターンに接続されてデータキャリア用のＩＣチップ５が実装されている。ＩＣチップ５を覆うように基板４全面が、耐水性、耐熱性に優れたエポキシ樹脂等のモールド樹脂６で覆われている。モールド樹脂６を形成することで外部環境から化学的、物理的に保護することができるため、該装置１を衣類等へ取り付けた後、そのままクリーニングを行うことができる。
【００２３】
ＩＣチップ５には、主たる内部構成要素として、通信回路部とメモリ部とが設けられている。通信回路部は、アンテナパターンに接続され、このアンテナパターンを介して外部からのデータ読み出し指令信号を受信し、かつ、これに反応してメモリ部に格納されたデータの出力の仲介を行う。
【００２４】
基板４は、アンテナパターンを複数の配線層に設け、これらをビア（層間接続導電体）で直列に接続した複数の層数からなる多層構造でも、単数で構成された構造でもよい。基板を構成する材料としては、例えばエポキシ樹脂、ガラスクロス入りエポキシ系樹脂、アラミド樹脂、液晶ポリマー又はＢＴレジン等の硬質な有機絶縁材料が好ましい。これらの有機系絶縁材料の板材にかえて例えばセラミック等の無機材料の板材を用いることもできる。
【００２５】
非接触データキャリア２の形状は、板状であり、具体的には正方形、略正方形、長方形、略長方形、円形、楕円など種々の形状が例示され、また、それ以外の形状で構成されていてもよいが、好ましくは正方形、略正方形、長方形、略長方形などの矩形状である。アンテナパターンのパターン表面と直交する方向からみた非接触データキャリア２の外形サイズは、２５ｍｍ×２５ｍｍ以下のサイズ、一例としては５ｍｍ×５ｍｍのサイズである。これにより、非接触データキャリア装置１の小型化を図ることができ、該装置１を衣類などに取り付けた場合に、使用者が違和感なくこの衣類を着用することができる。なお、この非接触データキャリア２は、小型化によりアンテナが小さくなるに従い通信距離も短くなるため、通常２ｍｍ×２ｍｍ以上の外形サイズが必要である。この非接触データキャリア２は、袋状体３に収納される。
【００２６】
袋状体３は、非接触データキャリア２を出し入れするための開口部７を備えている。この開口部７近傍を衣類等に固定するための取り付け部８とする。袋状体３の形状は、非接触データキャリア２を収納可能な袋状であればよく、これを平面視した場合に正方形、ほぼ正方形、長方形、ほぼ長方形、円形、楕円等の種々の形状が挙げられるが、製造が容易である点から、正方形、ほぼ正方形、長方形、ほぼ長方形等の矩形状が好ましい。
【００２７】
袋状体３の大きさも、上述した非接触データキャリア２を収納可能であり、該装置１を衣類等に取り付けた場合に使用者が違和感なく着用できる大きさであればよく、好ましくは３０ｍｍ×３０ｍｍ以下である。その厚さは、クリーニング時における外部からの熱、衝撃、応力を緩和して非接触データキャリア２を保護することができ、かつ、該装置を取り付けた衣類を使用者が違和感なく着用できる厚さであればよく、０．１ｍｍ〜６ｍｍの範囲が好ましい。
【００２８】
袋状体３を構成する材料としては、クリーニング時に要求される耐熱性、耐薬品性、速乾性、弾力性（耐屈曲性）などを有する布製であればよく、例えば織布、不織布又はフエルトなどが挙げられ、特に、耐熱性、弾力性に優れている点から、フエルトが好ましい。袋状体３は、例えばフエルト等を２枚重ね合わせ、非接触データキャリア２を収納できるように三方を縫合、接着する方法や、例えばフエルト等を折り曲げて、非接触データキャリア２を収納できるように縫合、接着する方法等によって得られる。
【００２９】
なお、袋状体３の開口部７近傍の内側（裏面側）には、面ファスナーを設けることもできる。これによれば、非接触データキャリア２を袋状体３に収納してから衣類等に取り付けるまでの間に、非接触データキャリア２が袋状体３の開口部７から脱落するのを防止することができる。面ファスナーは、少なくとも開口部７近傍に設けられていればよく、袋状体３の内側全体に設けることもできる。
【００３０】
また、袋状体３は、その表面側に、非接触データキャリア２が収納されていることを表示したり、ロゴ、注意書き、非接触データキャリア２の固有識別番号を表示するための印字領域とすることができる。各種印刷方式を適用できるが、小面積領域への微小印刷が必要な場合はレーザ印字が好ましい。
【００３１】
本実施形態の非接触データキャリア装置１の使用方法について図３を用いて説明する。図３は、図１に示す非接触データキャリア装置１を衣類に取り付けて使用した状態の一例を示す図である。
【００３２】
図３に示すように、袋状体３に非接触データキャリア２を収納してなる非接触データキャリア装置１が、衣類１１の裏地に設けた洗濯表示札１２に取り付けられている。袋状体３の縫い付け部１３（取り付け部）は、洗濯表示札１２に縫い付けられている。このとき、袋状体３の開口部７も綴じられ、収納された非接触データキャリア２の脱落は防止される。
【００３３】
衣類１１等への取り付け方法は、クリーニングを複数回繰り返し行っても該装置１の脱落を防止できるものであればよく、上述した縫合以外に、ホチキス留め等でもよい。また、該装置１を取り付ける位置も任意であり、衣類１１にポケットがある場合にはポケットの裏地に取り付けることもできるが、該装置１がクリーニング中に外部から衝撃や応力を受け難い位置が好ましく、かつ、衣類１１等の品質や外観を損なわないという点や、非接触データキャリア２をリーダライタ装置で読み取る際に取り付け位置を容易に確認できるという点から、上述した洗濯表示札１２が好適である。取り付け対象物として衣類１１を用いて説明したが、これ以外にシーツ等の布製品にも使用することができる。
【００３４】
したがって、本実施形態の非接触データキャリア装置１によれば、袋状体３に非接触データキャリア２を収納し、袋状体３の開口部７近傍を縫い付け部１３とすることで、縫合等で衣類１１への取り付けと開口部７の綴じが同時に行われ、容易かつ確実に衣類１１等に取り付けることができる。また、非接触データキャリア２を袋状体３に収納して取り付けることで、外部からの衝撃、応力等から非接触データキャリア２を保護することができ、信頼性に優れた非接触データキャリア装置１を提供することができる。
【００３５】
以上、本発明の各実施の形態により具体的に説明したが、本発明はこれらの実施形態に限定されるものではなく、その要旨を逸脱しない範囲で種々変更可能である。
【００３６】
例えば、上記実施形態では、袋状体３が一重で構成されているが、図４に示すように、外袋２１と内袋２２からなる二重構造で構成することもできる。このとき、外袋２１と内袋２２を構成する素材は、同一でも異なっていてもよい。袋状体を二重構造にして、この内部に非接触データキャリア２を収納することによって、非接触データキャリア２に与える外部からの衝撃等をさらに低減し、非接触データキャリア２を保護することができる。
【図面の簡単な説明】
【００３７】
【図１】本発明の第１の実施形態に係る非接触データキャリア装置を模式的に示す斜視図。
【図２】図１に示す非接触データキャリアの構成を模式的に示す断面図。
【図３】図１に示す非接触データキャリア装置を衣服に取り付けて使用した状態の一例を示す図。
【図４】図１に示す非接触データキャリア装置の変形例を模式的に示す斜視図。
【符号の説明】
【００３８】
１…非接触データキャリア装置、２…非接触データキャリア、３…袋状体、４…基板、５…ＩＣチップ、６…モールド樹脂、７…開口部、８…取り付け部、１１…衣類、１２…洗濯表示札、１３…縫い付け部、２１…外袋、２２…内袋。
【図１】
2008015682.tif 000003
【図２】
2008015682.tif 000004
【図３】
2008015682.tif 000005
【図４】
2008015682.tif 000006